【手続補正書】
【提出日】平成16年8月17日(2004.8.17)
【手続補正１】
【補正対象書類名】明細書
【補正対象項目名】全文
【補正方法】変更
【補正の内容】
【書類名】  明細書
【発明の名称】  浄水設備におけるマンガン除去設備
【特許請求の範囲】
【請求項１】  原水処理槽と、酸洗及び水洗を行う洗浄槽と、前記原水処理槽及び洗浄槽間でマンガン吸着材を循環させる吸着材循環機構とからなり、前記吸着材により原水処理槽に順次導入される原水中のマンガンを吸着除去するとともに、マンガンを吸着した吸着材を洗浄槽において再生するようにしたことを特徴とする浄水設備におけるマンガン除去設備。
【請求項２】  原水処理槽と、酸洗ノズル及び水洗ノズルを備えた洗浄ブースと、前記原水処理槽及び洗浄ブース間でマンガン吸着材を循環させる吸着材循環機構とからなり、前記吸着材により原水処理槽に順次導入される原水中のマンガンを吸着除去するとともに、マンガンを吸着した吸着材を洗浄ブースにおいて再生するようにしたことを特徴とする浄水設備におけるマンガン除去設備。
【請求項３】  原水処理槽と、酸洗及び水洗を行う洗浄装置と、前記原水処理槽及び洗浄装置間でマンガン吸着材を循環させる吸着材循環機構とからなり、前記吸着材により原水処理槽に順次導入される原水中のマンガンを吸着除去するとともに、マンガンを吸着した吸着材を洗浄装置において再生するようにしたことを特徴とする浄水設備におけるマンガン除去設備。
【請求項４】  マンガン吸着材をエンドレス状の布体で構成し、該布体を原水処理槽及び洗浄槽間、原水処理槽及び洗浄ブース間又は原水処理槽及び洗浄装置間に張設し、吸着材循環機構によって循環させるようにしたことを特徴とする請求項１、２又は３記載の浄水設備におけるマンガン除去設備。
【発明の詳細な説明】
【０００１】
【発明の属する技術分野】
本発明は、浄水設備におけるマンガン除去設備に関し、特に、マンガン吸着材を循環させながら原水中のマンガンを吸着除去するようにすることにより、原水からマンガンを連続的に、かつ確実に除去できるようにした浄水設備におけるマンガン除去設備に関するものである。
【０００２】
【従来の技術】
通常、上水用の原水には微量のマンガンが含まれている。このマンガンは、微生物により酸化されて不溶性の二酸化マンガンとして処理槽や配管の内壁に付着し、いわゆる「黒水」として流出したり、濾過障害を引き起こすという問題があった。
このため、従来は、原水に塩素処理を施してマンガンを酸化し、後段の凝集沈澱槽及び砂濾過槽において除去するようにしている。
【０００３】
【発明が解決しようとする課題】
しかしながら、トリハロメタン、臭素酸等の発癌性物質の生成を抑制する観点から、最近では殺菌用の塩素処理も含めて、塩素の使用量を抑える方向にあり、このため、緊急の課題として、塩素を使用することなく原水からマンガンを除去する手段の提供が要請されていた。
【０００４】
本発明は、上記従来の浄水設備におけるマンガンの除去に関する問題点に鑑み、塩素を使用することなく、簡易な構造の装置で、原水からマンガンを連続的に、かつ確実に除去できるようにした浄水設備におけるマンガン除去設備を提供することを目的とする。
【０００５】
【課題を解決するための手段】
上記目的を達成するため、本第１発明の浄水設備におけるマンガン除去設備は、原水処理槽と、酸洗及び水洗を行う洗浄槽と、前記原水処理槽及び洗浄槽間でマンガン吸着材を循環させる吸着材循環機構とからなり、前記吸着材により原水処理槽に順次導入される原水中のマンガンを吸着除去するとともに、マンガンを吸着した吸着材を洗浄槽において再生するようにしたことを特徴とする。
【０００６】
また、同じ目的を達成するため、本第２発明の浄水設備におけるマンガン除去設備は、原水処理槽と、酸洗ノズル及び水洗ノズルを備えた洗浄ブースと、前記原水処理槽及び洗浄ブース間でマンガン吸着材を循環させる吸着材循環機構とからなり、前記吸着材により原水処理槽に順次導入される原水中のマンガンを吸着除去するとともに、マンガンを吸着した吸着材を洗浄ブースにおいて再生するようにしたことを特徴とする。
【０００７】
また、同じ目的を達成するため、本第３発明の浄水設備におけるマンガン除去設備は、原水処理槽と、酸洗及び水洗を行う洗浄装置と、前記原水処理槽及び洗浄装置間でマンガン吸着材を循環させる吸着材循環機構とからなり、前記吸着材により原水処理槽に順次導入される原水中のマンガンを吸着除去するとともに、マンガンを吸着した吸着材を洗浄装置において再生するようにしたことを特徴とする。
【０００８】
本第１発明、第２発明及び第３発明の浄水設備におけるマンガン除去設備は、原水処理槽及び洗浄槽間、原水処理槽及び洗浄ブース間又は原水処理槽及び洗浄装置間で、吸着材循環機構によってマンガン吸着材を循環させながら、吸着材により原水処理槽に順次導入される原水中のマンガンを吸着除去するとともに、マンガンを吸着した吸着材を洗浄槽、洗浄ブース又は洗浄装置において再生するようにしているので、吸着材のマンガン除去効率を一定の状態に保持することができ、これにより、塩素を使用することなく、簡易な構造の装置で、原水からマンガンを連続的に、かつ確実に安定的に除去することができる。
【０００９】
この場合において、マンガン吸着材をエンドレス状の布体で構成し、該布体を原水処理槽及び洗浄槽間、原水処理槽及び洗浄ブース間又は原水処理槽及び洗浄装置間に張設し、吸着材循環機構によって循環させるようにすることができる。
【００１０】
そして、この吸着材及び吸着材循環機構は、取り扱いが容易で、装置の構造も簡易であるため、操作性がよく、メンテナンスも簡易に行うことができる。
【００１１】
【発明の実施の形態】
以下、本発明の浄水設備におけるマンガン除去設備の実施の形態を図面に基づいて説明する。
【００１２】
図１に、本発明の浄水設備におけるマンガン除去設備の第１実施例を示す。
この浄水設備におけるマンガン除去設備は、原水処理槽１と、マンガン吸着材５の酸洗を行う酸洗槽２及び水洗を行う水洗槽３からなる洗浄槽と、原水処理槽１及び洗浄槽間でマンガン吸着材５を循環させる吸着材循環機構４とからなり、マンガン吸着材５により原水処理槽１に順次導入される原水中のマンガンを吸着除去するとともに、マンガンを吸着した吸着材５を洗浄槽において再生するように構成されている。
【００１３】
この場合において、原水処理槽１は、一端側から上水用の原水を導入し、他端側から処理した原水を導出するようにした所定の容量を有するもので、通常、矩形に形成される。
【００１４】
また、マンガンを吸着した吸着材５を洗浄し、再生するための洗浄槽は、マンガン吸着材５の酸洗を行う酸洗槽２と、水洗を行う水洗槽３とから構成され、本実施例においては、１個の酸洗槽２と４個の水洗槽３で以て洗浄槽を構成するようにしている。
そして、酸洗を行う酸洗槽２には、使用するマンガン吸着材５の材質に対応した酸性の水溶液を貯留し、マンガン吸着材５を循環移動させながらこの水溶液中に浸漬するようにするが、この酸性の水溶液には、例えば、吸着材に後述のアミドキシム樹脂からなる吸着材を用いた場合には、必要に応じて、クエン酸又はクエン酸ナトリウムを１％程度添加した０．１Ｎ程度の塩酸水溶液を用いることができる。
なお、酸洗槽２と水洗槽３からなる洗浄槽の構成は、本実施例のものに限定されず、例えば、水洗槽３を１槽式とすることもできる。
【００１５】
マンガン吸着材５には、原水中に含まれるマンガンを吸着できる性質を有する吸着材であれば、特に限定されるものではないが、ポリエチレン、ポリプロピレン等の樹脂素材（通常、繊維状素材）の表面にガンマ線や電子線を照射した後、アクリロニトリル及びヒドロキシルアミンを作用させてアミドキシム基を導入（グラフト重合）したアミドキシム樹脂（通常、繊維状）からなる吸着材（特願平１０−３５４１９７号公報参照）や、イオン交換を行う官能基としてイミノ酢酸基及び１，２，３級アミンを有するキレート型（アミノ酢酸型）イオン交換樹脂（通常、繊維状）からなる吸着材（例えば、株式会社ニチビ製「ニチビイオン交換繊維」）を好適に用いることができる。
これらの吸着材は、その使用状態に応じて、布体に形成したり、平板状、波板状等の板状体や、球状、円柱状、円筒状、不定形状等のペレット状体に形成して用いることができる。
【００１６】
そして、本実施例においては、布体、特に限定されるものではないが、例えば、幅１〜２ｍ程度、長さ５０〜２００ｍ程度に形成したマンガン吸着材５をエンドレス状に構成し、このマンガン吸着材５を、原水処理槽１並びに酸洗槽２及び水洗槽３からなる洗浄槽に張設し、吸着材循環機構４によって循環するようにしている。
【００１７】
マンガン吸着材５を循環移動するための吸着材循環機構４は、ガイドローラ４１を、原水処理槽１並びに酸洗槽２及び水洗槽３からなる洗浄槽間をマンガン吸着材５が循環する経路に沿って上下にジグザグに蛇行するように配列し、このガイドローラ４１にマンガン吸着材５を張設することにより、マンガン吸着材５を循環移動させながら、原水処理槽１並びに酸洗槽２及び水洗槽３からなる洗浄槽の液中に略鉛直状に１〜複数回往復させて浸漬するようにする。
このように、マンガン吸着材５を液中に略鉛直状に浸漬するようにすることにより、原水からのマンガンの除去効率及びマンガン吸着材５の洗浄効率を高めることができる。
なお、マンガン吸着材５の原水処理槽１並びに酸洗槽２及び水洗槽３からなる洗浄槽の液中への浸漬回数は、任意に設定することができる。
【００１８】
そして、特に、原水処理槽１においては、マンガン吸着材５を、複数回往復させて浸漬するように当たり、原水とマンガン吸着材５の接触を促進して原水からのマンガンの除去効率を高めることができるように、マンガン吸着材５が１回往復する毎に阻流板１３を配設し、さらに、流出部に越流板１１を配設するようにする。
【００１９】
この浄水設備におけるマンガン除去設備は、原水処理槽１並びに酸洗槽２及び水洗槽３からなる洗浄槽間で、吸着材循環機構４によってマンガン吸着材５を循環させながら、吸着材５により原水処理槽１に順次導入される原水中のマンガンを吸着除去するとともに、マンガンを吸着した吸着材５を酸洗槽２及び水洗槽３からなる洗浄槽において再生して吸着材５のマンガン吸着性能を回復するようにしているので、吸着材５のマンガン除去効率を一定の状態に保持することができ、これにより、塩素を使用することなく、簡易な構造の装置で、原水からマンガンを連続的に、かつ確実に安定的に除去することができるものとなる。
【００２０】
図２に、本発明の浄水設備におけるマンガン除去設備の第２実施例を示す。
この浄水設備におけるマンガン除去設備は、上記第１実施例と同様、原水処理槽１と、マンガン吸着材５１の酸洗を行う酸洗槽２及び水洗を行う水洗槽３からなる洗浄槽と、原水処理槽１及び洗浄槽間でマンガン吸着材５１を循環させる吸着材循環機構４とからなり、マンガン吸着材５１により原水処理槽１に順次導入される原水中のマンガンを吸着除去するとともに、マンガンを吸着した吸着材５１を洗浄槽において再生するように構成されている。
【００２１】
本実施例においては、布体（又は板状体若しくはペレット状体）に形成したマンガン吸着材５１を吊り籠４２内に多数枚縦方向に並設するように装填し、この吊り籠４２を吸着材循環機構４によって循環するようにしている。
そして、ここでは、特に限定されるものではないが、例えば、縦、横の寸法を１〜２ｍ程度に形成したマンガン吸着材５１を用いるようにしている。
【００２２】
マンガン吸着材５１を装填した吊り籠４２を循環移動するための吸着材循環機構４は、特にその具体的な構成は限定されるものではないが、昇降機構と水平方向の移動機構を備え、原水処理槽１並びに酸洗槽２及び水洗槽３からなる洗浄槽間をマンガン吸着材５１を装填した吊り籠４２を間欠的に水平方向に循環移動させながら、移動停止時に昇降させて原水処理槽１並びに酸洗槽２及び水洗槽３からなる洗浄槽の液中に浸漬するようにする。
【００２３】
そして、このように、マンガン吸着材５１を装填した吊り籠４２を吸着材循環機構４によって循環させることにより、マンガン吸着材５１を交換する場合は、複数の吊り籠４２について一度に行わずに、順番に行うことによって、浄水処理を中断することなく連続して行うことができる。
【００２４】
なお、マンガン吸着材５１を装填した吊り籠４２の原水処理槽１並びに酸洗槽２及び水洗槽３からなる洗浄槽の液中への浸漬個数は、任意に設定することができる。
【００２５】
この浄水設備におけるマンガン除去設備は、原水処理槽１並びに酸洗槽２及び水洗槽３からなる洗浄槽間で、吸着材循環機構４によってマンガン吸着材５１を装填した吊り籠４２を循環させながら、吸着材５１により原水処理槽１に順次導入される原水中のマンガンを吸着除去するとともに、マンガンを吸着した吸着材５１を酸洗槽２及び水洗槽３からなる洗浄槽において再生して吸着材５１のマンガン吸着性能を回復するようにしているので、吸着材５１のマンガン除去効率を一定の状態に保持することができ、これにより、塩素を使用することなく、簡易な構造の装置で、原水からマンガンを連続的に、かつ確実に安定的に除去することができるものとなる。
【００２６】
なお、本実施例のその他の構成及び作用は、上記第１実施例の浄水設備におけるマンガン除去設備と同じである。
【００２７】
図３に、本発明の浄水設備におけるマンガン除去設備の第３実施例を示す。
この浄水設備におけるマンガン除去設備は、原水処理槽１と、マンガン吸着材５２の酸洗を行う酸洗ノズル２１及び水洗を行う水洗ノズル３１を備えた洗浄ブース６と、原水処理槽１及び洗浄ブース６間でマンガン吸着材５２を循環させる吸着材循環機構４とからなり、マンガン吸着材５２により原水処理槽１に順次導入される原水中のマンガンを吸着除去するとともに、マンガンを吸着した吸着材５２を洗浄ブース６において再生するように構成されている。
【００２８】
本実施例においては、板状体（又は布体）に形成したマンガン吸着材５２を吊りフレーム４３に多数枚縦方向に並設するように吊り下げ、この吊りフレーム４３を吸着材循環機構４によって循環するようにしている。
そして、ここでは、特に限定されるものではないが、例えば、縦、横の寸法を１〜２ｍ程度に形成したマンガン吸着材５２を用いるようにしている。
【００２９】
そして、フレーム４３に多数枚縦方向に並設するように吊り下げたマンガン吸着材５２に対応するように、管部材に多数の透孔を形成して構成したマンガン吸着材５２の酸洗を行う酸洗ノズル２１及び水洗を行う水洗ノズル３１を、循環移動する各マンガン吸着材５２を挟むように立設し、各マンガン吸着材５２の両面を洗浄できるようにしている。
【００３０】
マンガン吸着材５２を装填した吊りフレーム４３を循環移動するための吸着材循環機構４は、特にその具体的な構成は限定されるものではないが、水平方向の移動機構を備え、原水処理槽１及び洗浄ブース６間をマンガン吸着材５２を吊り下げた吊りフレーム４３を連続的に水平方向（本実施例においては、原水処理槽１の両端部位置で、吸着材循環機構４の循環経路を、原水処理槽１の上方側に延びるように形成している。このため、吸着材循環機構４は、昇降機構を備えていないが、上記第２実施例の浄水設備におけるマンガン除去設備の吸着材循環機構４のように、昇降機構を備えるようにすることもできる。）に循環移動させながら原水処理槽１の原水中に浸漬するとともに、洗浄ブース６において、酸洗及び水洗を行うようにする。
【００３１】
そして、このように、マンガン吸着材５２を吊り下げた吊りフレーム４３を吸着材循環機構４によって循環させることにより、マンガン吸着材５２を交換する場合は、複数の吊りフレーム４３について一度に行わずに、順番に行うことによって、浄水処理を中断することなく連続して行うことができる。
【００３２】
なお、マンガン吸着材５２を吊り下げた吊りフレーム４３の原水処理槽１の原水中への浸漬個数は、任意に設定することができる。
【００３３】
この浄水設備におけるマンガン除去設備は、原水処理槽１２並びにマンガン吸着材５２の酸洗を行う酸洗ノズル２１及び水洗を行う水洗ノズル３１を備えた洗浄ブース６間で、吸着材循環機構４によってマンガン吸着材５２を吊り下げた吊りフレーム４３を循環させながら、吸着材５２により原水処理槽１に順次導入される原水中のマンガンを吸着除去するとともに、マンガンを吸着した吸着材５２を酸洗を行う酸洗ノズル２１及び水洗を行う水洗ノズル３１を備えた洗浄ブース６において再生して吸着材５２のマンガン吸着性能を回復するようにしているので、吸着材５２のマンガン除去効率を一定の状態に保持することができ、これにより、塩素を使用することなく、簡易な構造の装置で、原水からマンガンを連続的に、かつ確実に安定的に除去することができるものとなる。
【００３４】
なお、本実施例のその他の構成及び作用は、上記第１実施例の浄水設備におけるマンガン除去設備と同じである。
【００３５】
図４に、本発明の浄水設備におけるマンガン除去設備の第４実施例を示す。
この浄水設備におけるマンガン除去設備は、原水処理槽１と、マンガン吸着材５３の酸洗及び水洗を行う洗浄装置７と、原水処理槽１及び洗浄装置７間でマンガン吸着材５３を循環させる吸着材循環機構４とからなり、マンガン吸着材５３により原水処理槽１に順次導入される原水中のマンガンを吸着除去するとともに、マンガンを吸着した吸着材５３を洗浄装置７において再生するように構成されている。
【００３６】
本実施例においては、ペレット状体に形成したマンガン吸着材５３を原水処理槽１内に投入して原水と共に流下させ、吸着材循環機構４によって原水から回収し、循環させるようにしている。
そして、ここでは、特に限定されるものではないが、例えば、最大寸法部が１０〜５０ｍｍ、好ましくは、２０〜４０ｍｍ程度の球状、円柱状、円筒状、不定形状等に形成したマンガン吸着材５３を用いるようにしている。
【００３７】
そして、原水とマンガン吸着材５３の接触を促進して原水からのマンガンの除去効率を高めることができるように、原水処理槽１に攪拌機１２を配設するようにする。
なお、攪拌機１２に代えて、エアーブロー等の他の攪拌手段を採用することもできる。
【００３８】
酸洗及び水洗を行う洗浄装置７は、ペレット状体に形成したマンガン吸着材５３に対応するように、マンガン吸着材５３を投入するようにした回転可能な内槽７１と外槽７２の２槽式となっており、内槽７１は酸洗時と水洗時においては低速で回転し、脱水時には高速で回転するように構成され、かつ内槽７１には、酸タンク７３に接続された酸供給管７４及び水供給管７５を接続し、酸洗及び水洗並びに脱水を選択的に行うことができるようにしている。
【００３９】
マンガン吸着材５３を循環するための吸着材循環機構４は、特にその具体的な構成は限定されるものではないが、ペレット状体に形成したマンガン吸着材５３に対応するように、マンガン吸着材５３を原水処理槽１内に適量投入するようにする定量供給機４４と、原水処理槽１内に投入され、原水と共に流下してきたマンガン吸着材５３を回収するための循環式スクリーン等の掻揚機４５と、これら定量供給機４４及び掻揚機４５と、原水処理槽１及び洗浄装置７とを接続し、マンガン吸着材５３を円滑に搬送する搬送ライン４６とで構成するようにしている。
【００４０】
そして、このように、マンガン吸着材５３を直接原水処理槽１内に投入して原水と共に流下させることにより、原水の性状に適した量のマンガン吸着材５３を投入することができる。
【００４１】
この浄水設備におけるマンガン除去設備は、原水処理槽１２並びに酸洗及び水洗を行う洗浄装置７間で、吸着材循環機構４によってマンガン吸着材５３を循環させながら、吸着材５３により原水処理槽１に順次導入される原水中のマンガンを吸着除去するとともに、マンガンを吸着した吸着材５３を酸洗及び水洗を行う洗浄装置７において再生して吸着材５３のマンガン吸着性能を回復するようにしているので、吸着材５３のマンガン除去効率を一定の状態に保持することができ、これにより、塩素を使用することなく、簡易な構造の装置で、原水からマンガンを連続的に、かつ確実に安定的に除去することができるものとなる。
【００４２】
なお、本実施例のその他の構成及び作用は、上記第１実施例の浄水設備におけるマンガン除去設備と同じである。
【００４３】
上記各実施例のように、浄水設備の処理能力、原水に含まれるマンガンの含有量等の各種処理条件に応じて、（１）マンガン吸着材をエンドレス状の布体で構成し、該布体を原水処理槽及び洗浄槽間、原水処理槽及び洗浄ブース間又は原水処理槽及び洗浄装置間に張設し、吸着材循環機構によって循環させるようにしたり、（２）マンガン吸着材を布体、板状体又はペレット状体で構成し、該布体、板状体又はペレット状体を吊り籠内に装填又は吊りフレームに吊り下げ、該吊り籠又は吊りフレームを吸着材循環機構によって循環させるようにしたり、（３）マンガン吸着材をペレット状体で構成し、該ペレット状体を原水処理槽内に投入して原水と共に流下させ、吸着材循環機構によって原水から回収し、循環させるようにする、多様なマンガン吸着材及び吸着材循環機構の中から最適のものを選択することができる。
そして、これらの吸着材及び吸着材循環機構は、いずれも取り扱いが容易で、装置の構造も簡易であるため、操作性がよく、メンテナンスも簡易に行うことができ、例えば、布体、板状体又はペレット状体を吊り籠内に装填又は吊りフレームに吊り下げ、吊り籠又は吊りフレームを吸着材循環機構によって循環させるようにした場合には、マンガン吸着材の交換を、複数の吊り籠又は吊りフレームを一度に行わずに、順番に行うことによって、浄水処理を中断することなく連続して行うことができ、また、ペレット状体を原水処理槽内に投入して原水と共に流下させるようにした場合には、原水の性状に適した量のマンガン吸着材を容易に投入することができる等の個別の利点を有している。
【００４４】
以上、本発明の浄水設備におけるマンガン除去設備について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
また、その対象となる原水には、河川等から取水した水や地下水のほか、浄水場で発生する脱水ろ液、濃縮槽のオーバーフロー水等の各種排水等を含み、これを排除するものではない。
【００４５】
【発明の効果】
本発明の浄水設備におけるマンガン除去設備によれば、原水処理槽及び洗浄槽間、原水処理槽及び洗浄ブース間又は原水処理槽及び洗浄装置間で、吸着材循環機構によってマンガン吸着材を循環させながら、吸着材により原水処理槽に順次導入される原水中のマンガンを吸着除去するとともに、マンガンを吸着した吸着材を洗浄槽、洗浄ブース又は洗浄装置において再生するようにしているので、吸着材のマンガン除去効率を一定の状態に保持することができ、これにより、塩素を使用することなく、簡易な構造の装置で、原水からマンガンを連続的に、かつ確実に安定的に除去することができ、マンガンに由来するマンガン酸化物の処理槽や配管の内壁への付着、いわゆる「黒水」の発生、さらに、濾過障害の問題を解消することができる。
そして、従来、原水からマンガンを除去するために使用されていた塩素の使用量を低減することができ、トリハロメタン、臭素酸等の発癌性物質の生成を抑制し、飲料用としてより安全な上水を提供することができる。
【００４６】
そして、マンガン吸着材をエンドレス状の布体で構成し、該布体を原水処理槽及び洗浄槽間、原水処理槽及び洗浄ブース間又は原水処理槽及び洗浄装置間に張設し、吸着材循環機構によって循環させるようにすることができる。
そして、この吸着材及び吸着材循環機構は、取り扱いが容易で、装置の構造も簡易であるため、操作性がよく、メンテナンスも簡易に行うことができる。
【図面の簡単な説明】
【図１】
本発明の浄水設備におけるマンガン除去設備の第１実施例を示す説明図である。
【図２】
本発明の浄水設備におけるマンガン除去設備の第２実施例を示す説明図である。
【図３】
本発明の浄水設備におけるマンガン除去設備の第３実施例を示す説明図である。
【図４】
本発明の浄水設備におけるマンガン除去設備の第４実施例を示す説明図である。
【符号の説明】
１    原水処理槽
１１  越流板
１２  攪拌機
１３  阻流板
２    酸洗槽
２１  酸洗ノズル
３    水洗槽
３１  水洗ノズル
４    吸着材循環機構
４１  ガイドローラ
４２  吊り籠
４３  吊りフレーム
４４  定量供給機
４５  掻揚機
４６  搬送ライン
５    マンガン吸着材（布体）
５１  マンガン吸着材（布体）
５２  マンガン吸着材（板状体）
５３  マンガン吸着材（ペレット状体）
６    洗浄ブース
７    洗浄装置